(57)【要約】【課題】本発明は、簡易な取り付け、取り外し構造を得ながらも、設置状態において、ずれたり、浮き上がったりすることがなく、安定的に強固に取り付けられる新規な側溝蓋導水孔の閉鎖蓋の開発を技術課題とした。【解決手段】本発明の側溝蓋導水孔の閉鎖蓋１は、側溝蓋２が連接されることによって形成されている長孔状の導水孔２０を充分に覆う形状を有する平板状の本体部１０と、この本体部１０の下面に設けられ、幅方向に張り出し自在に対設された係止脚片１５と、本体部１０の長手方向端部寄りに対設され、下面側に向かって爪状に張り出す係止爪片１１とを具えていることを特徴とする。【選択図】　　　図１
2004076327.tif 000002
【特許請求の範囲】
【請求項１】
側溝蓋が連接されることによって形成されている長孔状の導水孔を充分に覆う形状を有する平板状の本体部と、この本体部の下面に設けられ、幅方向に張り出し自在に対設された係止脚片と、本体部の長手方向端部寄りに対設され、下面側に向かって爪状に張り出す係止爪片とを具えていることを特徴とする側溝蓋導水孔の閉鎖蓋。
【請求項２】
前記係止脚片は、本体部の長手方向に並行に形成された折り曲げ案内部を有することを特徴とする請求項１記載の側溝蓋導水孔の閉鎖蓋。
【請求項３】
前記係止爪片は、本体部の長手方向に複数片対設されていることを特徴とする請求項１または２記載の側溝蓋導水孔の閉鎖蓋。
【発明の詳細な説明】
【０００１】
【発明の属する技術分野】
本発明は例えば道路に沿った側溝を覆っている側溝蓋に形成される導水孔を塞ぎ、歩行者等が安全に歩行できるようにするための側溝蓋導水孔の閉鎖蓋に関するものである。
【０００２】
【発明の背景】
通常、側溝蓋はコンクート製の矩形板のものであって、これらが連接されて個々の側溝蓋の境界部に導水孔が形成されるような構造となっている。この導水孔は降雨時等の出水時には路面の水流を側溝に導く機能を果たし、また側溝管理等のために側溝蓋を開ける際の手掛かりとしての機能も与えられている。一方、それ以外のときには、この導水孔の開口は歩行の安全面からはむしろ不適切なものであって、この対策としてすでに多くの側溝蓋導水孔の閉鎖蓋が市販されている。しかしながらこれら従来製品は、側溝蓋自体が容易に取り外せるように構成しなければならないこと、更に導水孔のサイズもまちまちでそれらに汎用的に取り付けなければならないことから、設置した状態で比較的ルーズな取り付け態様となりがちであった。
【０００３】
このようなルーズな取り付け態様であると、取り付けられた閉鎖蓋がぐらつきがちとなり、そのようなぐらついた不安定な状態のまま踏みつけられたり、車両等の荷重がかかったりするとその変形が促され、不確実な取り付け態様が更に助長されるような傾向となっていた。もちろん従来からこのような問題が存在すること自体は認識されていたものの、この種の閉鎖蓋は取り外し自在であるという前記技術的要求がある限り、このような不安定な取り付け態様であっても、このような欠点はやむを得ないものであるとの先入観から、従来積極的な改良はなされていなかった。
【０００４】
【開発を試みた技術的課題】
本発明はこのような背景を考慮してなされたものであって、簡易な取り付け、取り外し構造を得ながらも、設置状態において、ずれたり、浮き上がったりすることがなく、安定的に強固に取り付けられる新規な側溝蓋導水孔の閉鎖蓋の開発を試みたものである。
【０００５】
【課題を解決するための手段】
すなわち請求項１記載の側溝蓋導水孔の閉鎖蓋は、側溝蓋が連接されることによって形成されている長孔状の導水孔を充分に覆う形状を有する平板状の本体部と、この本体部の下面に設けられ、幅方向に張り出し自在に対設された係止脚片と、本体部の長手方向端部寄りに対設され、下面側に向かって爪状に張り出す係止爪片とを具えていることを特徴として成るものである。
この発明によれば、側溝の導水孔に対し係止脚片が突っ張り状態に弾性的に嵌め込まれるとともに、係止爪片によって導水孔の長手方向の位置決めを行い、ずれることのない取り付け態様を得ることができる。
【０００６】
また請求項２記載の側溝蓋導水孔の閉鎖蓋は、前記請求項記載の要件に加え、前記係止脚片は、本体部の長手方向に並行に形成された折り曲げ案内部を有することを特徴として成るものである。
この発明によれば、係止脚片における折り曲げ案内部を手掛かりに対設された係止脚片の間隔を調節でき、それぞれ異なる導水孔の幅寸法に応じて係止脚片の拡開状態を最適な状態に設定し得る。
【０００７】
また請求項３記載の側溝蓋導水孔の閉鎖蓋は、前記請求項記載の要件に加え、係止爪片は、本体部の長手方向に複数片対設されていることを特徴として成るものである。
この発明によれば、係止爪片のうち導水孔の長手方向に合致する部位のものを折り曲げて係止させることができ、長手方向への位置決め保持も正確に行い得る。
【０００８】
【発明の実施の形態】
以下本発明を図示の実施の形態に基づいて具体的に説明する。図１に示すように、本発明たる閉鎖蓋１は、歩道Ｐ等に設けられた側溝Ｃを覆う側溝蓋２の導水孔２０に対し被せられるようにして用いられるものである。まず閉鎖蓋１の説明に先立ち、側溝蓋２について説明すると、側溝蓋２は、通常コンクリート製の偏平な矩形状部材であり、側溝の保守管理等を考慮して人力で開閉が可能な程度の重さとなるような寸法仕様の設定がされている。そして側溝蓋２が連接された状態で導水孔２０が形成されるものであり、具体的には側溝蓋２の連接面２１の一部を導水凹部２２として凹陥させ、これらが対向的に合致して例えば平面視で偏平亀甲状の導水孔２０を形成する。
【０００９】
このような導水孔２０に対し閉鎖蓋１が取り付けられ導水孔２０が開口していることにより予想される危険や不都合を回避するものである。閉鎖蓋１は例えばステンレス素材等をプレス成形し、一部溶接等の加工により形成されるものであって、図２〜５に示すように前記導水孔２０をほぼ覆うことができる平面形状を有する平板長円状の本体部１０を有する。この本体部１０は、その長手方向の中心線上の端部寄りに、この実施の形態では一例として三組の係止爪片１１を対設するように構成する。具体的には係止爪片の切片側を外向けに構成するものであって、円弧状あるいは三日月状の爪片形成スリット１２により実質的に形成しているものである。更に本体部１０はその強度維持のためにプレス手法で言ういわゆる紐出し状にまず周縁リブ１３を形成するとともに、長手方向に縦リブ１４を二条形成する。
【００１０】
一方本体部１０に対しては、その下面に係止脚片１５を設ける。この係止脚片１５は本体部１０とは別部材の出発材料をプレス形成した長板状の部材であり、その中央部で例えばスポット溶接、カシメ等の手法で、本体部１０と一体的に固着し、固着部１６とする。そして係止脚片１５は、その幅方向の自由端側に第一折り曲げ案内部１７ａを設け、更にその内側中心寄りに第二折り曲げ案内部１７ｂをそれぞれ形成するとともに、更に自由端側は幾分か内向きに曲成して挿し込み案内縁１８とするものである。
【００１１】
本発明の側溝蓋導水孔の閉鎖蓋１は、以上のように述べた形態を最も実用上好ましい形態とするものであり、以下このものの使用方法を説明しながら、併せその機能態様を説明する。まずこのような閉鎖蓋１のいわゆる商品荷姿としては、例えばパッケージ等の省スペース等の要求から、図３（ａ）に示すように前記係止爪脚片１５はほぼ平板状に引き延ばされたような状態としておくことが望ましい。このような状態でユーザーが購入した後、ユーザーは図３（ｂ）に示すように、側溝蓋２の導水孔２０の寸法に合わせて適宜係止脚片１５の自由端を互いに寄せるようにして本体部１０の裏面に立ち上げるように折り曲げる。この操作は通常の成人男子の力であれば、充分手作業による折り曲げが可能である。
【００１２】
このようにしたときには、固着部１６と第二折り曲げ案内部１７ｂとの間、あるいは第一折り曲げ案内部１７ａ、第二折り曲げ案内部１７ｂが適宜その荷重に応じて変形してゆき、翼板状に立ち上がるような状態となる。このようにした後、図３（ｃ）に示すように導水孔２０に係止脚片１５を嵌め込むようにして、その最適な挿し込み状態を得る。この際、もちろん係止脚片１５の立ち上げ幅寸法を狭くし過ぎたような場合には再度広げるようにして、要はこのものが弾性的に導水凹部２２に接触した状態を得ることが好ましい。なお導水孔２０に対し係止脚片１５を挿し込むにあたっては、図３（ｃ）に仮想線で示すように止脚片１５の自由端側に形成されている挿し込み案内縁１８が内向き傾斜状になっており、その円滑な挿し込みを実現しているものである。
【００１３】
一方、このようにして位置決めした後、導水孔２０の長手方向の寸法に応じ、図４（ａ）に示すように係止爪片１１を上方からドライバＤ等を介してハンマＨで叩き込み、あるいは直接ハンマＨ等で叩いて、係止爪片１１を下方に張り出すように変形させてゆく。もちろん荷姿状態ですでに係止爪片１１は幾分か押し込まれて下方に張り出すように形成されていてもよいし、単に爪片形成スリット１２が形成されたままであってもよい。もちろん実際にはプレス成形により爪片形成スリット１２を形成する際に係止爪片１１は幾分か下方に張り出す傾向となるのである。このような係止爪片１１を更に積極的に下方に張り出すようにして、導水孔２０の長手方向端縁部に係止させるのである。このようにしたときには、導水孔２０に対し、閉鎖蓋１は長手方向、幅方向、いずれにも位置決め固定された状態となり、強固な接続がなされるのである。なおこの係止爪片１１については、実際に位置決めとして機能するものを選択的に曲げるほか、すべてをより下方に折り曲げて導水効果を充分に得るようにすることも可能である。
【００１４】
なお導水孔２０の長手方向の位置決めを行う係止爪片１１は、複数形成されている際は、それぞれ対応する部位の係止爪片１１を対称的に曲げ込むことが望ましいが、導水孔２０の寸法によっては、図５（ａ）（ｂ）に示すように一方の側の係止爪片１１については最外縁部、他方についてはそれより内側の係止爪片１１を利用するなどして、導水孔２０の中心と閉鎖蓋１の中心とが合致しない態様での設定が可能である。なお導水孔２０に対し一旦設置した閉鎖蓋１を取り外すにあたっては、図６に示すように適宜ドライバＤ等で、本体部１０と側溝蓋２との間をこじるようにして開けるほか、例えば係止爪片１１が折り曲げられたことによって、より幅広になった爪片形成スリット１２を手掛かりとして、ドライバＤ等を引っかけてこじ開けるようにすることが可能である。
【００１５】
【他の実施の形態】
以上述べたような構成を一つの好ましい実施の形態とするものであるが、更に部分的な改良が可能である。例えば図７（ａ）（ｂ）に示す係止爪片１１は、長手方向中心にも爪片形成スリット１２の円弧状の爪片形成スリットとせずに、中央部にも中央スリット１２ａを設けるようにして、係止爪片１１の使い勝手をより多様化できるようにしたものである。例えばこのようにした場合、図示のように導水孔２０が一方の導水凹部２２のみで形成され、他の対向する部位が平面であって、平面視で単なる偏平な台形状に形成されているとき等にも対応し得るのである。また係止脚片１５については、実用上、長手方向中央部に一枚の長板状素材を溶着して、幅方向に一対の係止脚片１５が構成されるようにしたが、例えば図７に示すように、これを中央部で分断し、合計四脚の係止脚片１５が形成されたような形態とすることももとより可能である。
【００１６】
更に図１に併せ示す態様は、側溝蓋２の一態様として包含されるグレーチング３に対して、その格子杆３１の空間を塞ぐような大板の閉鎖蓋１として形成したものを示すものである。
【００１７】
【発明の効果】
以上述べたように本発明によれば、側溝蓋２の導水孔２０を閉鎖することによりもたらされる種々の安全性が得られることに加え、その取り付け状態の安定性が極めて高く、導水孔２０の閉鎖蓋１の不具合に起因する二次的な安全性の低下等も完全に防止できるのである。特に導水孔２０の長手方向、幅方向いずれをも確実な位置決め状態とすることにより、安定的な設置が可能である。
【図面の簡単な説明】
【図１】本発明の側溝蓋導水孔の閉鎖蓋の使用状態を示す一部拡大斜視図である。
【図２】同上閉鎖蓋の表裏面を併せ示す斜視図である。
【図３】同上閉鎖蓋の設定順序を示す断面図である。
【図４】同上閉鎖蓋の長手方向の位置決め状態を示す説明図であり、平面状態と縦断側面状態を併せ示すものである。
【図５】同上閉鎖蓋の長手方向の位置決め状態の他の手法を示す説明図であり、平面状態と縦断側面状態を併せ示すものである。
【図６】同上閉鎖蓋の取り外し手法を示す縦断側面図である。
【図７】同上閉鎖蓋における更に他の実施の形態を示す平面図及び縦断側面図である。
【符号の説明】
１　　　閉鎖蓋
２　　　側溝蓋
３　　　グレーチング
１０　　本体部
１１　　係止爪片
１２　　爪片形成スリット
１２ａ　中央形成スリット
１３　　周縁リブ
１４　　縦リブ
１５　　係止脚片
１６　　固着部
１７ａ　第一折り曲げ案内部
１７ｂ　第二折り曲げ案内部
１８　　挿し込み案内縁
２０　　導水孔
２１　　連接面
２２　　導水凹部
３１　　格子杆
Ｃ　　　側溝
Ｄ　　　ドライバ
Ｈ　　　ハンマ
Ｐ　　　歩道
【図１】
2004076327.tif 000003
【図２】
2004076327.tif 000004
【図３】
2004076327.tif 000005
【図４】
2004076327.tif 000006
【図５】
2004076327.tif 000007
【図６】
2004076327.tif 000008
【図７】
2004076327.tif 000009